(57)【要約】  コモンモードノイズフィルタは、絶縁体層と、絶縁体層の第１の面に設けられた細長く延びる第１のコイル導体と、絶縁体層の第２の面に設けられた細長く延びる第２のコイル導体とを備える。第２のコイル導体は、絶縁体層を介して第１のコイル導体に対向する。第２のコイル導体の部分の第２のコイル導体の部分が細長く延びる方向に交差する断面は、絶縁体層を介して第１のコイル導体に対向する頂部と、頂部の反対側の底辺部とを有する。頂部の幅は底辺部の幅より小さい。このコモンモードノイズフィルタは差動信号が高周波帯域で減衰するのを低減できる。
2019031220.tif 000002
【特許請求の範囲】
【請求項１】
互いに反対側の第１の面と第２の面とを有する絶縁体層と、
前記絶縁体層の前記第１の面に設けられた細長く延びる第１のコイル導体と、
前記絶縁体層の前記第２の面に設けられて、前記絶縁体層を介して前記第１のコイル導体に対向する細長く延びる第２のコイル導体と、
を備え、
前記第２のコイル導体の部分の前記第２のコイル導体の前記部分が細長く延びる方向に交差する断面は、前記絶縁体層を介して前記前記第１のコイル導体に対向する頂部と、前記頂部の反対側の底辺部とを有し、
前記頂部の幅は前記底辺部の幅より小さい、コモンモードノイズフィルタ。
【請求項２】
前記第２のコイル導体の前記断面は実質的に三角形状を有する、請求項１に記載のコモンモードノイズフィルタ。
【請求項３】
前記第１のコイル導体の部分の前記第１のコイル導体の前記部分が細長く延びる方向に交差する断面は、頂部と、前記頂部の反対側の底辺部とを有し、
前記第２のコイル導体の前記頂部は、前記絶縁体層を介して前記第１のコイル導体の前記底辺部に対向し、
前記第１のコイル導体の前記頂部の幅は前記第１のコイル導体の前記底辺部の幅より小さい、請求項１または２に記載のコモンモードノイズフィルタ。
【請求項４】
前記第１のコイル導体の部分の前記第１のコイル導体の前記部分が細長く延びる方向に交差する断面は、頂部と、前記頂部の反対側の底辺部とを有し、
前記第２のコイル導体の前記頂部は、前記絶縁体層を介して前記第１のコイル導体の前記頂部に対向し、
前記第１のコイル導体の前記頂部の幅は前記第１のコイル導体の前記底辺部の幅より小さい、請求項１または２に記載のコモンモードノイズフィルタ。
【請求項５】
前記第１のコイル導体の前記断面は実質的に三角形状を有する、請求項３または４に記載のコモンモードノイズフィルタ。
【請求項６】
前記第１のコイル導体の前記底辺部は円弧状に突出する底辺突出部を有する、請求項３から５のいずれか１項に記載のコモンモードノイズフィルタ。
【請求項７】
前記第１のコイル導体の前記断面は、前記第１のコイル導体の前記頂部と前記底辺部とに繋がる斜辺部をさらに有し、
前記第１のコイル導体の前記斜辺部は円弧状に突出する突出部を有する、請求項３から６のいずれか１項に記載のコモンモードノイズフィルタ。
【請求項８】
前記第１のコイル導体の前記頂部は円弧形状を有する、請求項３から７のいずれか１項に記載のコモンモードノイズフィルタ。
【請求項９】
前記第２のコイル導体の前記部分は前記第２のコイル導体の任意の部分である、請求項３から８のいずれか１項に記載のコモンモードノイズフィルタ。
【請求項１０】
前記第２のコイル導体の前記底辺部は円弧状に突出する底辺突出部を有する、請求項１から９のいずれか１項に記載のコモンモードノイズフィルタ。
【請求項１１】
前記第２のコイル導体の前記断面は、前記第２のコイル導体の前記頂部と前記底辺部とに繋がる斜辺部をさらに有し、
前記第２のコイル導体の前記斜辺部は円弧状に突出する突出部を有する、請求項１から１０のいずれか１項に記載のコモンモードノイズフィルタ。
【請求項１２】
前記第２のコイル導体の前記頂部は円弧形状を有する、請求項１から１１のいずれか１項に記載のコモンモードノイズフィルタ。
【請求項１３】
前記第２のコイル導体の前記部分は前記第２のコイル導体の任意の部分である、請求項１から１２のいずれか１項に記載のコモンモードノイズフィルタ。
【発明の詳細な説明】
【技術分野】
【０００１】
本発明は、デジタル機器や映像音響（ＡＶ）機器、情報通信端末等の各種電子機器に使用されるコモンモードノイズフィルタに関する。
【背景技術】
【０００２】
図９は従来のコモンモードノイズフィルタ５００の断面図である。コモンモードノイズフィルタ５００は、積層体１と、積層体１内部に形成され互いに対向する２つのコイル導体２、３と、コイル導体２、３のそれぞれに接続された引出導体２ａ、３ａとを備える。コイル導体２、３と引出導体２ａ、３ａは、積層体１内の非磁性体４の内部に埋設されている。【０００３】
図１０はコモンモードノイズフィルタ５００の拡大断面図であり、コイル導体２、３の断面を示す。コイル導体２、３の断面は矩形状を有する。コモンモードノイズフィルタ５００においては差動信号が高周波帯域で大きく減衰する場合がある。【０００４】
コモンモードノイズフィルタ５００に類似の従来のコモンモードノイズフィルタは、例えば、特許文献１に開示されている。
【先行技術文献】
【特許文献】
【０００５】
【特許文献１】特開２０１２−８９５４３号公報
【発明の概要】
【０００６】
コモンモードノイズフィルタは、絶縁体層と、絶縁体層の第１の面に設けられた細長く延びる第１のコイル導体と、絶縁体層の第２の面に設けられた細長く延びる第２のコイル導体とを備える。第２のコイル導体は、絶縁体層を介して第１のコイル導体に対向する。第２のコイル導体の部分の第２のコイル導体の部分が細長く延びる方向に交差する断面は、絶縁体層を介して第１のコイル導体に対向する頂部と、頂部の反対側の底辺部とを有する。頂部の幅は底辺部の幅より小さい。
【０００７】
このコモンモードノイズフィルタは差動信号が高周波帯域で減衰するのを低減できる。
【図面の簡単な説明】
【０００８】
【図１】図１は実施の形態におけるコモンモードノイズフィルタの断面図である。
【図２】図２は実施の形態におけるコモンモードノイズフィルタの分解斜視図である。
【図３】図３は実施の形態におけるコモンモードノイズフィルタの斜視図である。
【図４】図４は実施の形態におけるコモンモードノイズフィルタの主要部の拡大断面図である。
【図５】図５は実施の形態におけるコモンモードノイズフィルタの製造方法を示す断面図である。
【図６】図６は実施の形態におけるコモンモードノイズフィルタの製造方法を示す断面図である。
【図７】図７は実施の形態におけるコモンモードノイズフィルタのコイル導体の断面図である。
【図８】図８は実施の形態における他のコモンモードノイズフィルタの拡大断面図である。
【図９】図９は従来のコモンモードノイズフィルタの断面図である。
【図１０】図１０は図９に示すコモンモードノイズフィルタの拡大断面図である。
【発明を実施するための形態】
【０００９】
図１は実施の形態におけるコモンモードノイズフィルタ１０００の断面図である。図２はコモンモードノイズフィルタ１０００の分解斜視図である。図３はコモンモードノイズフィルタ１０００の斜視図である。図１は図３に示すコモンモードノイズフィルタ１０００の線Ｉ−Ｉにおける断面を示す。
【００１０】
コモンモードノイズフィルタ１０００は、図１に示すように、積層体１１と、積層体１１内部に形成され互いに上下方向である積層方向ＤＸで対向するコイル導体１２、１３とを備えている。
【００１１】
コイル導体１２、１３の導通方向に交差する面による断面は、頂部と底辺部とを有する。コイル導体１２の頂部はコイル導体１３の底辺部に対向する。
【００１２】
図２に示すように、積層体１１は、絶縁体層１１ａ〜１１ｇと、絶縁体層１１ｃの上面１１１ｃ上に形成されたコイル導体１２と、絶縁体層１１ｃの上面１１１ｃ上に形成された引出導体１１４と、絶縁体層１１ｄの上面１１１ｄに形成されたコイル導体１３と、絶縁体層１１ｄの上面１１１ｄに形成された引出導体１１５と、絶縁体層１１ｂの上面１１１ｂ上に形成されてコイル導体１２に接続された引出導体１４と、絶縁体層１１ｅの上面１１１ｅ上に形成されてコイル導体１３に接続された引出導体１５とを備える。コイル導体１２と引出導体１１４は互いに接続され、実施の形態では１つの導体よりなる。コイル導体１３と引出導体１１５は互いに接続され、実施の形態では１つの導体よりなる。絶縁体層１１ａ〜１１ｇは積層方向ＤＸで積層される。これにより、コイル導体１２は絶縁体層１１ｄの下面２１１ｄに設けられる。
【００１３】
図３に示すように、積層体１１の両端部には外部電極１６ａ〜１６ｄが形成されている。引出導体１１４と引出導体１１５と引出導体１４と引出導体１５は外部電極１６ａ、１６ｂ、１６ｃ、１６ｄにそれぞれ接続されている。コイル導体１２は引出導体１１４を介して外部電極１６ａに接続されており、コイル導体１３は引出導体１１５を介して外部電極１６ｂに接続されている。外部電極１６ａ、１６ｃから引出導体１１４とコイル導体１２と引出導体１４に電流が流れ、外部電極１６ｂ、１６ｄから引出導体１１５とコイル導体１３と引出導体１５に電流が流れる。
【００１４】
コイル導体１２は引出導体１４と絶縁体層１１ｃを貫通するビア電極１７ａを介して接続されて、１つのコイルを構成する。コイル導体１３は引出導体１５と絶縁体層１１ｃを貫通するビア電極１７ｂを介して接続されて、もう一方のコイルを構成する。
【００１５】
なお、実施の形態においては引出導体１４、１５は直線状に延びるが、渦巻状に延びていてもよい。また、引出導体１４、１５は絶縁体層１１ａ〜１１ｆの内の１つの絶縁体層上に形成されていてもよく、引出導体１４と引出導体１５の位置を図１に示す位置とは逆にしてもよい。
【００１６】
コイル導体１２と引出導体１４は、コイル導体１３と引出導体１５との間に位置していてもよい。
【００１７】
絶縁体層１１ａ〜１１ｇは下からこの順に積層されている。絶縁体層１１ｂ〜１１ｆはガラスセラミック等のガラスを含有する非磁性材料よりなり、シート形状を有する。絶縁体層１１ａ、１１ｇはＣｕ−Ｎｉ−Ｚｎフェライト等の磁性材料よりなり、シート形状を有する。
【００１８】
コイル導体１２、１３は、絶縁体層１１ｂ〜１１ｆからなる非磁性体部１８の内部に設けられる。また、磁性材料からなる絶縁体層１１ａは、非磁性体部１８の下方に設けられた磁性体部１９ａを構成し、絶縁体層１１ｇは、非磁性体部１８の上方に設けられた磁性体部１９ｂを構成する。
【００１９】
絶縁体層１１ａ〜１１ｇの枚数は、図２に示された枚数に限られるものではない。
【００２０】
コイル導体１２、１３は、それぞれ銀等の導電材料を渦巻状にめっきまたは印刷することにより形成されている。コイル導体１２はコイル導体１３に絶縁体層１１ｄを介して対向している。実施の形態では、コイル導体１２は絶縁体層１１ｄを介して全体的にコイル導体１３に対向する。すなわちコイル導体１２、１３は、その両端部を除いて上面視にてすなわち積層方向ＤＸから見て実質的に同じ位置に配置されており、同じ方向に巻回されて互いに磁気結合する。
【００２１】
なお、コイル導体１２、１３は、渦巻形状ではなく、螺旋形状等の他の形状を有していてもよい。
【００２２】
図４は図１に示すコモンモードノイズフィルタ１０００の拡大断面図であり、図２に示すコイル導体１２、１３の部分１１２、１１３の断面を示す。図４に示すコイル導体１２、１３の部分１１２、１１３の断面は部分１１２、１１３が細長く延びる方向Ｄ１１に直交するすなわち交差する方向の断面である。すなわち、図４に示すコイル導体１２、１３の断面はコイル導体１２、１３の積層方向ＤＸと直交すなわち交差する断面である。この断面は全体的に見て頂部と、頂部の反対側の底辺部とを有する三角形状を実質的に有する。具体的には、コイル導体１２の部分１１２の断面は頂部１２ａと、頂部１２ａの反対側の底辺部１２ｂとを有する。コイル導体１３の部分１１３の断面は頂部１３ａと、頂部１２ａの反対側の底辺部１３ｂとを有する。コイル導体１２の頂部１２ａはコイル導体１３の底辺部１３ｂに絶縁体層１１ｄを介して積層方向ＤＸで対向する。
【００２３】
コイル導体１２、１３の底辺部１２ｂ、１３ｂは円弧形状に突出する突出部１２ｃ、１３ｃをそれぞれ有する。図４に示すコイル導体１２の部分１１２の断面は、頂部１２ａと底辺部１２ｂとに繋がる斜辺部１２ｄをさらに有する。図４に示すコイル導体１３の部分１１３の断面は、頂部１３ａと底辺部１３ｂとに繋がる斜辺部１３ｄをさらに有する。コイル導体１２、１３の斜辺部１２ｄ、１３ｄは、円弧形状に突出する突出部１２ｅ、１３ｅをそれぞれ有する。コイル導体１２、１３の頂部１２ａ、１３ａは円弧形状を有する。
【００２４】
このように、コイル導体１２、１３の部分１１２、１１３の断面は、全体的に見て実質的に三角形状を有する。この三角形状の頂部１２ａ（１３ａ）を含む３つの頂点は円弧形状を有している。この三角形状の３つの辺である底辺部１２ｂ（１３ｂ）と斜辺部１２ｄ（１３ｄ）は外方に突出する円弧形状を有する。
【００２５】
図４に示すコイル導体１２の断面の最も幅が広く上面視で最大の幅を有する部分１２ｐは、コイル導体１２の積層方向ＤＸの中心から底辺部１２ｂに向かう方向にずれている。同様に、図４に示すコイル導体１３の断面の最も幅が広く上面視で最大の幅を有する部分１３ｐは、コイル導体１３の積層方向ＤＸの中心から底辺部１３ｂに向かう方向にずれている。
【００２６】
ここで、底辺部１２ｂ、１３ｂは、積層方向ＤＸで下方に位置する辺であり、頂部１２ａ、１３ａは、積層方向ＤＸで上方に位置する点である。斜辺部１２ｄは、頂部１２ａと底辺部１２ｂの両端部とをそれぞれ結ぶ線に相当し、斜辺部１３ｄは、頂部１３ａと底辺部１３ｂの両端部とをそれぞれ結ぶ線に相当する。
【００２７】
なお、コイル導体１２、１３の断面が全体的に見て三角形状を有する部分１１２，１１３は、引出導体１４、１５、１１４、１１５を除いた実質部分であってもよい。コイル導体１２、１３の実質部分は絶縁体層１１ｃを介して積層方向ＤＸに互いに対向する。すなわち、コイル導体１２の部分１１２はコイル導体１２の任意の部分であり、コイル導体１３の部分１１３はコイル導体１３の任意の部分である。また、図４ではコイル導体１２、１３の断面は、積層方向ＤＸに直交する方向の幅より積層方向ＤＸの高さが大きいが、高さより幅を大きくしてもよい。
【００２８】
コイル導体１２、１３の全体的に見て三角形状を有する断面を有してかつコイル導体１２の頂部１２ａとコイル導体１３の底辺部１３ｂとが対向する部分１１２、１１３はコイル導体１２、１３の実質部分の全体ではなく実質部分の一部分であってもよい。
【００２９】
コイル導体１２の頂部１２ａとコイル導体１３の底辺部１３ｂとが対向する部分１１２、１１３は実質部分の例えば半分であってもよい。
【００３０】
次に、実施の形態におけるコモンモードノイズフィルタ１０００の製造方法について説明する。図５と図６はコモンモードノイズフィルタ１０００の製造方法を示す断面図である。
【００３１】
まず、ガラスを有する非磁性体部１８および磁性体部１９ａ、１９ｂを備えた図１に示す積層体１１を形成する。
【００３２】
このとき、非磁性体部１８の内部に互いに積層方向ＤＸで対向しかつ銀よりなるコイル導体１２、１３および引出導体１４、１５、１１４、１１５を形成する。
【００３３】
コイル導体１２、１３は以下のように形成する。図５に示すように、まず、ベース板２０にコイル導体１２、１３の形状に沿って樹脂からなるレジスト２１を形成する。その後、ベース板２０に対して銀をめっきし、めっき層２２を形成する。めっき層２２はコイル導体１２、１３となる部分である。
【００３４】
その後、図６に示すように、ベース板２０に形成されためっき層２２とレジスト２１とをそのまま被転写体２３に転写する。被転写体２３は絶縁体層１１ｃ、１１ｄである。その後、ベース板２０、レジスト２１を剥がして、めっき層２２のみを被転写体２３（絶縁体層１１ｃ、１１ｄ）に形成する。めっき層２３が転写された絶縁体層１１ｃ、１１ｄを含む絶縁体層１１ａ〜１１ｇを積層して積層体１１を形成することにより、非磁性体部１８の内部にコイル導体１２、１３を形成できる。
【００３５】
次に、積層体１１を例えば約９４０℃の温度で焼成する。この温度はガラスの転移点温度（例えば約８００℃）より高い。
【００３６】
最後に、積層体１１の両端部に外部電極１６ａ〜１６ｄを形成する。
【００３７】
この方法においては、ガラスの転移点温度より高い温度で焼成しているため、ガラスの流動性が増し、ガラスを有する非磁性体部１８の内部のコイル導体１２、１３の形状が容易に変動する。また、銀で構成されたコイル導体１２、１３は表面積が小さくなるように変形するので、コイル導体１２、１３の断面は全体的に見て三角形状にすることができる。
【００３８】
このとき、図５に示すように、レジスト２１の高さよりめっき層２２の高さを少し高くする。さらに、めっき層２２のベース板２０と接触する部分すなわち頂部１２ａ、１３ａとなる部分の面積を小さくする。さらに、焼成温度やめっき条件を調整することによって、コイル導体１２、１３の断面を全体的に見て三角形状にすることが可能となる。
【００３９】
この方法により、コイル導体１２、１３を、その断面が全体的に見て三角形状を有するように予め準備することは不要となり、積層、焼成後にその断面形状を三角形状にすることができる。
【００４０】
コイル導体１２、１３の前述の形成方法は一例であり、その他の方法で形成してもよい。
【００４１】
なお、コイル導体１２、１３の形状は、図４に示すような、断面が全体的に見て三角形状を有する必要はない。コイル導体１２（１３）の断面が、頂部１２ａ（１３ａ）と、上面視ですなわち絶縁体層１１ｃの上面１１１ｃと下面２１１ｃに平行な方向において頂部１２ａ（１３ａ）の幅より広い幅を有する底辺部１２ｂ（１３ｂ）とを有し、全体的に底辺部１２ｂ（１３ｂ）から頂部１２ａ（１３ａ）に向かうに従って単調に幅が狭くなっていき、さらに、頂部１２ａ（１３ａ）が円弧形状を有することで同様の効果が得られる。
【００４２】
図７はコイル導体１２、１３の断面の他の形状を示す。例えば、図７に示すように、断面の一部分が出っ張る、または全体的に斜めに傾いていてもよい。焼成温度やめっき条件のばらつきなどによってこのような形状になる可能性がある。
【００４３】
実施の形態におけるコモンモードノイズフィルタ１０００においては、コイル導体１２の斜辺部１２ｄがコイル導体１３の底辺部１３ｂと対向しており、斜辺部１２ｄと底辺部１３ｂとの間の距離が長いので、コイル導体１２、１３間の容量を低減できる。これにより、コイル導体１２、１３間の容量を低減でき、差動信号が３ｄＢ減衰するカットオフ周波数を高くすることができる。この結果、差動信号が高周波帯域で減衰するのを低減できる。
【００４４】
図９と図１０に示す従来のコモンモードノイズフィルタ５００においては、薄型化されて、対向するコイル導体２、３間の距離が短くなると、コイル導体２、３間で発生する容量が増加する。このため、差動信号が高周波帯域で大きく減衰する場合がある。
【００４５】
図１０に示す従来のコモンモードノイズフィルタ５００では、コイル導体２、３の断面は矩形状を有する。したがって、コイル導体２、３間の距離ｔ４は、対向する部分２ｂ、３ｂすべてで同じであり、コイル導体２、３間の容量を低減することは困難である。
【００４６】
これに対し、実施の形態におけるコモンモードノイズフィルタ１０００では、図４に示すように、コイル導体１２、１３や絶縁体層が積層される積層方向ＤＸにおけるコイル導体１２の頂部１２ａとコイル導体１３の底辺部１３ｂとの距離ｔ１は、断面が長方形状を有する場合と同じとしても、コイル導体１２の斜辺部１２ｄとコイル導体１３の底辺部１３ｂとの間の積層方向ＤＸでの距離は、頂部１３ａから離れるにつれて大きくなる。したがって、その部分ではコイル導体１２とコイル導体１３間の距離は長くなる。
【００４７】
したがって、コイル導体１２の斜辺部１２ｄとコイル導体１３の底辺部１３ｂとが対向する部分の容量を低減できる。また、積層方向ＤＸから見たコイル導体１２、１３の端部２４ではコイル導体１２の斜辺部１２ｄとコイル導体１３の底辺部１３ｂとの距離ｔ２は最も長くなる。コモンモードノイズフィルタの低背化によって絶縁体層１１ｄの厚みすなわちコイル導体１２、１３間の距離が例えば１μｍ〜１０μｍとなった場合、図１０に示すように、コイル導体１２、１３の断面が長方形状を有していると、コイル導体１２、１３間の距離が短くなって、コイル導体１２とコイル導体１３間の容量が高くなる。そのため、カットオフ周波数が低くなる可能性がある。
【００４８】
実施の形態におけるコモンモードノイズフィルタ１０００では、コイル導体１２、１３の断面が全体的に見て三角形状を有しており、コイル導体１２、１３間の距離を長くすることによって、断面が長方形状である場合と同じ面積を有していても、コイル導体１２、１３間の容量を低減できる。
【００４９】
また、コイル導体１２とコイル導体１３間の容量を低減できることから、コモンモードノイズフィルタ１０００のコモンモードインピーダンスのピークを高周波帯域にシフトさせ、ＧＨｚ帯のコモンモードノイズを除去し易くなる。
【００５０】
コイル導体１２、１３間の容量を低減できるので、コモンモードノイズフィルタ１０００の特性インピーダンスを高くし、各通信規格に応じた規定の特性インピーダンスにすることができ、差動信号の減衰等の劣化を防止することも期待できる。
【００５１】
コモンモードノイズフィルタ１０００では、コイル導体１２、１３の底辺部１２ｂ、１３ｂは、円弧状に突出する突出部１２ｃ、１３ｃを有するので、コイル導体１２の斜辺部１２ｄとコイル導体１３の底辺部１３ｂとの距離をより長くすることができ、これにより、コイル導体１２、１３間の容量をさらに低減できる。
【００５２】
また、底辺部１２ｂ、１３ｂの突出部１２ｃ、１３ｃと、コイル導体１２、１３の斜辺部１２ｄ、１３ｄの円弧状に突出する突出部１２ｅ、１３ｅとにより、コイル導体１２、１３の断面積を大きくすることができ、これにより、直流抵抗値の増大を低減できる。
【００５３】
なお、底辺部１２ｂ（１３ｂ）の突出部１２ｃ（１３ｃ）と、斜辺部１２ｄ（１３ｄ）の突出部１２ｅ（１３ｅ）のうちいずれか一方のみを設けても、直流抵抗値の増大を低減できる。
【００５４】
コイル導体１２、１３の頂部１２ａ、１３ａは円弧形状を有しているので、円弧形状の部分によって、積層時にコイル導体１２、１３に印加される応力を逃がすことができる。したがって、コイル導体１２、１３が厚い場合でも、コイル導体１２、１３と絶縁体層との密着性の低下を低減し、層間剥離が発生しにくくできる。これによりコイル導体１２、１３間の間隔を狭くしてもデラミネーションやショートの発生を低減できる。
【００５５】
コイル導体１２、１３それぞれにおける、積層方向ＤＸに直角の横方向に互いに隣りあう導体について、上面視で最大幅となる部分から離れるにつれて斜辺部１２ｄ、１３ｄ間の横方向の距離が離れる方向に斜辺部１２ｄ、１３ｄは互いに離れていくので、その部分では横方向に隣りあう導体間の距離は長くなる。したがって、隣りあう導体間でショートする可能性が低くなり、これにより、隣接する導体間の距離を短くすなわち線間の間隔を狭くすることができるので、コイル導体１２、１３の巻き数を増やすことができ、この結果、コモンモードノイズフィルタ１０００のコモンモードのインピーダンスを高くすることもできる。
【００５６】
図８は実施の形態における他のコモンモードノイズフィルタ１００１の拡大断面図である。図８において、図４に示すコモンモードノイズフィルタ１０００と同じ部分には同じ参照番号を付す。図８に示すコモンモードノイズフィルタ１００１では、コイル導体１２の頂部１２ａが絶縁体層１１ｄを介してコイル導体１３の頂部１３ａと積層方向ＤＸで対向している。
【００５７】
コモンモードノイズフィルタ１００１では、図４に示すコモンモードノイズフィルタ１０００に対してコイル導体１３の頂部１３ａと底辺部１３ｂとが積層方向ＤＸで逆になる。
【００５８】
この構成により、コイル導体１２の斜辺部１２ｄとコイル導体１３の斜辺部１３ｄとの積層方向ＤＸでの距離が、頂部１２ａ、頂部１３ａから離れるにつれて大きくなるので、コイル導体１２、１３間の距離はより長くなる。したがって、コイル導体１２とコイル導体１３間の容量をさらに低減することができる。
【００５９】
特に、図８に示すコモンモードノイズフィルタ１００１の積層方向ＤＸから見たコイル導体１２、１３の端部２４では、コイル導体１２の斜辺部１２ｄとコイル導体１３の底辺部１３ｂとの距離ｔ３は、図４に示すコモンモードノイズフィルタ１０００に比べ非常に長くなる。
【００６０】
なお、上記した実施の形態におけるコモンモードノイズフィルタ１０００、１００１では、コイル導体１２、１３は絶縁体層１１ｄを介して積層方向ＤＸで互いに対向し、互いに磁気結合する。実施の形態におけるコモンモードノイズフィルタは、絶縁体層を介して積層方向ＤＸに対向し、互いに磁気結合する複数の対のコイル導体を有していてもよく、また、アレイタイプであってもよい。
【００６１】
実施の形態において、「上面」「下面」「上下方向」等の方向を示す用語は、絶縁体層やコイル導体等のコモンモードノイズフィルタの構成部材の相対的な位置関係でのみ決まる相対的な方向を示し、鉛直方向等の絶対的な方向を示すものではない。
【産業上の利用可能性】
【００６２】
本発明に係るコモンモードノイズフィルタは、差動信号の劣化を防止でき、特にデジタル機器やＡＶ機器、情報通信端末等の各種電子機器のノイズ対策として使用されるコモンモードノイズフィルタ等において有用である。
【符号の説明】
【００６３】
１１    積層体
１１ａ〜１１ｇ    絶縁体層
１２    コイル導体（第１のコイル導体）
１２ａ    頂部
１２ｂ    底辺部
１３    コイル導体（第２のコイル導体）
１３ａ    頂部
１３ｂ    底辺部
【図１】
2019031220.tif 000003
【図２】
2019031220.tif 000004
【図３】
2019031220.tif 000005
【図４】
2019031220.tif 000006
【図５】
2019031220.tif 000007
【図６】
2019031220.tif 000008
【図７】
2019031220.tif 000009
【図８】
2019031220.tif 000010
【図９】
2019031220.tif 000011
【図１０】
2019031220.tif 000012
【国際調査報告】
2019031220.tif 000013
2019031220.tif 000014
2019031220.tif 000015
2019031220.tif 000016